(57)【要約】照明灯用の電子式スイッチ器の防犯機能遂行方法及びその機能を持っているスイッチ器を提供する。この発明のスイッチ器は，その内部に制御マイコンＵ１と明るさ検知センサー，オン／オフキーＳＷ１及び防犯機能設定キーＳＷ２を備え，明るさ検知センサーＣＤＳで検知した明るさに基づいて，２４時間時計を作って稼動し，制御マイコンＵ１は２４時間時計に合わせて昼間には照明灯をオフし，夕方と夜明け及び真夜中の特定時間にだけ照明灯をオンさせるオン／オフタイマープログラムＳ１０８を備える。使用者のワンタッチ防犯キーＳＷ２によって防犯機能が設定されている時には，オン／オフタイマープログラムＳ１０８によって照明灯をオン／オフ制御し，防犯機能が設定されていない時には使用者のオン／オフキーＳＷ１によって照明灯をオン／オフ制御することによって，使用者が何らの時計設定及び時間予約手続きなしに防犯機能を使うことができ，使用者に便利性を提供する。また，昼間には照明灯をオフすることで電力節減の効果もある。
2005517266.tif 000002
【特許請求の範囲】
【請求項１】
照明灯用のスイッチ配線に連結して使われるスイッチ器の防犯機能遂行方法において，スイッチ器が明るさ検知センサー（ＣＤＳ）で検知した明るさに基づいて，２４時間時計を稼動し，使用者の防犯キー（ＳＷ２）によって防犯機能が設定されていた場合，前記スイッチ器は制御マイコン（Ｕ１）に搭載されたオン／オフタイマープログラム（Ｓ１０８）によって照明灯をオン／オフ制御することを特徴とする，照明灯用の電子式スイッチ器の防犯機能遂行方法。
【請求項２】
照明灯用のスイッチ配線に繋いで使われるスイッチ器において，スイッチ器の内部に制御マイコン（Ｕ１）と，明るさ検知センサー（ＣＤＳ）と，照明灯オン／オフキー（ＳＷ１）と，防犯機能設定キー（ＳＷ２）とを構成して明るさ検知センサーで検知した明るさに基づいて，２４時間時計を稼動し，使用者の防犯キーによって防犯機能が設定されている時には前記制御マイコン（Ｕ１）に搭載したオン／オフタイマープログラムによって照明灯をオン／オフ制御し，防犯機能が設定されていない時には使用者のオン／オフキー（ＳＷ１）によって照明灯をオン／オフ制御することを特徴とする，照明灯用の電子式スイッチ器。
【発明の詳細な説明】
【技術分野】
【０００１】
本発明は照明灯用の電子式スイッチ器の防犯機能を遂行する方法及びそのスイッチ器（以下スイッチ器という）に関するものである。このスイッチ器は，固有の機能である照明灯のオン／オフを機械式で実行すると共に，ワンタッチ（ｏｎｅｔｏｕｃｈ）操作で防犯機能の遂行が可能である。すなわち，夕方に電燈が消えている家で防犯機能を遂行する。また，朝早く照明灯がオンされて防犯が可能である。長期間家を留守にする時や帰宅時間が遅くなる時等，外出時に防犯機能を使用する。
【背景技術】
【０００２】
図１に示すように，従来のスイッチ器を２４時間使う場合は，電力消耗が多いだけでなく，２４時間電燈（又は照明灯）がついている家は泥棒の監視対象になる。また，スイッチ器に時計機能を内蔵して，予約しておいた時間にだけ電燈（又は照明灯）がつくようになった場合もあるが，この場合は停電する度に時刻や予約を調節する必要がある。
【発明の開示】
【発明が解決しようとする課題】
【０００３】
従って，このような問題点を解決するためになされた本発明の目的は，照明灯用の電子式スイッチ器の使用者（以下，使用者という）がワンタッチ操作だけでスイッチ器が防犯機能を容易に遂行できる方法を提供することにある。
【０００４】
また，この発明の他の目的は，通常の照明灯のオン／オフ機能及び防犯機能を有する照明灯用の電子式スイッチ器を提供することにある。
【課題を解決するための手段】
【０００５】
本発明に係る照明灯用の電子式スイッチ器の特徴は，防犯機能が設定された場合，その設定状態はＬＥＤランプにより表示し，明るさセンサーＣＤＳで昼・夜を判断する。スイッチ器は，昼間に照明灯をオフにし，夕方から４又は５時間の間には照明灯をオンし，また，夜明けには１〜２時間の間オンする。
【０００６】
また，本発明に係る防犯機能を有する照明灯用の電子式スイッチ器は，使用者の操作によって照明灯をオン／オフするオン／オフキーと防犯機能設定キー及び防犯機能設定の状態を表示するＬＥＤランプ，昼・夜を判別して２４時間時計を稼動するための明るさセンサーを含む。
【０００７】
従って，使用者は本発明に係る電子式スイッチ器で照明灯をオン／オフすると共に，ワンタッチで防犯状態を設定することができる。
【発明を実施するための最良の形態】
【０００８】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【０００９】
以下，添付図面を参照しながら本発明に係る電子式スイッチ器の実施形態及びその遂行方法について詳しく説明する。図１は，従来の壁スイッチ器を示す図であり，図２は，本実施の形態に係る防犯機能を有する照明灯用の電子式スイッチ器の実施形態を示す回路構成図である。
【００１０】
図２において，端子１（端子マル１）と端子２（端子マル２）は，壁から下るスイッチ線を繋ぐ端子であり，図面符号１は，このスイッチ器の駆動用電源回路ブロック，図面符号２は，交流入力の位相を検出するための回路ブロックである。回路符号３は，照明灯をスイッチするためのトライアックＴＲＣ及び駆動回路ブロック，図面符号４は，このスイッチ器の作動を中央制御するマイコンとその周辺回路ブロックである。マイコンのＯ１とＯ２端子は出力端子であり，I１〜I４は入力端子である。第１出力端子Ｏ１が論理１（Ｈｉｇｈ）に出力されるとトライアックＴＲＣがオンになってランプがつくし，第１出力端子が論理０（Ｌｏｗ）に出力されるとトライアックがオフになってランプが消えるようになる。マイコンＵ１の第４入力端子I４は明るさを検知するためのアナログ入力端子であり，第１及び第２I１〜１２入力端子はキー入力端子である。第２出力端子Ｏ２にハイ（Ｈｉｇｈ）が出力されると発光ダイオードＬＥＤが点燈して防犯設定状態を表示し，ロー（Ｌｏｗ）が出力されると発光ダイオードＬＥＤが消えて防犯機能設定状態（Ｓｅｃｕｒｉｔｙ  Ｍｏｄｅ）が解除され，一般状態（Ｎｏｒｍａｌ  Ｍｏｄｅ）になる。防犯機能の設定及び解除は，第２スイッチＳＷ２ボタンを押して選択する。スイッチボタンＳＷ２を押す度に，その設定状態が変わるようになる。防犯機能解除状態（Ｎｏｒｍａｌ  Ｍｏｄｅ）では，第１スイッチボタンＳＷ１をもってランプのワン／オフを決め，防犯機能設定状態ではマイコンＵ１が明るさを検知して稼動する２４時間時計と，マイコンに搭載したオン／オフタイマープログラムによってランプのワン／オフが制御される。マイコンＵ１は夜明けと夕方との中間時点として真昼間時点を昼１２時に決めて，夕方と夜明けとの中間時点として夜の中間時点を夜１２時に決めて２４時間時計を作動する。防犯機能設定状態では夕方に４〜５時間ランプをオンし，夜明けに１〜２時間の間ランプをオンする。そして，夜１２時頃には１回または２回ずつオンするようにし，その他の時間にはランプをオフする。
【００１１】
図３は，本実施の形態に係る照明灯用の電子式スイッチ器の防犯機能の遂行方法を示すフローチャートである。
【００１２】
キーを入力すると（Ｓ１０１），防犯機能設定のキーかどうかを判断（Ｓ１０２）する。防犯機能設定キーではない場合は，それに伴う命令を実行する（Ｓ１０９）。防犯機能設定キーであれば，防犯（Ｓｅｃｕｒｉｔｙ）から一般（Ｎｏｒｍａｌ）状態にモードを切り替えると共に（Ｓ１０３），切り替えた状態を表示する（Ｓ１０４）。また，現在の状態が一般モードであれば，命令遂行状態が完全に終わったどうかによって，もう一度キーの入力を待つ。切り替えた状態が防犯モードであれば，マイコンは稼動した２４時間時計を読み取って現在が昼間か夜かを判断する（Ｓ１０６）。現在が昼間の場合は，照明灯をオフして（Ｓ１０７），防犯・一般状態を確認する（Ｓ１０５）。現在が夜間の場合は，制御マイコンＵ１に搭載された夜間オン／オフタイマープログラムによって照明灯（ランプ）のオン／オフを制御して（Ｓ１０８），防犯・一般状態を確認する（Ｓ１０５）。
【００１３】
図４の（１）はマイコンＵ１が明るさ検知センサーＣＤＳからの検知信号に基づいて，昼間であるか，夜間であるかを判別することを示し，図４の（２）は前述の方法で防犯機能を遂行する実施形態に対するタイミング図を示す。図５は，本実施の形態に係る防犯機能を有する照明灯用の電子式スイッチ器を示す外形図である。
【００１４】
前述のように，この発明に係る照明灯用の電子式スイッチ器を使用して，使用者はワンタッチ操作で防犯機能を容易に遂行することができる。その機能は２４時間時計により遂行され，制御マイコンＵ1に搭載したオン／オフタイマープログラムによって自ら防犯機能を遂行するようになっているので，昼・夜別にスイッチ器が自ら判断して昼間にはランプをオフすることから使用者に便利性を提供し，電力節減の效果がある。
【００１５】
図２は本実施の形態に係る防犯機能を遂行するスイッチ器を壁スイッチ器に適用した場合の回路構成図であり，図６は本実施の形態に係る防犯機能を遂行するスイッチ器を電気スタンドに適用した場合の回路構成図であり，図７は本実施の形態にかかる防犯機能を遂行するスイッチ器を電気コンセントに適用した場合の回路構成図である。
【００１６】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【図面の簡単な説明】
【００１７】
【図１】従来に係るスイッチ器の回路構成図である。
【図２】本実施の形態に係る照明灯用の電子式スイッチ器の回路構成図である。
【図３】本実施の形態に係る照明灯用の電子式スイッチ器の防犯機能遂行方法を示すフローチャートである。
【図４】本実施の形態に係る照明灯用の電子式スイッチ器が防犯機能を遂行している時，照明灯を制御する実施形態を示すタイミング図である。
【図５】本実施の形態に係る照明灯用の電子式スイッチ器を示す外形図である。
【図６】本実施の形態に係る照明灯用の電子式スイッチ器を電気スタンドに適用した場合の回路構成図である。
【図７】本実施の形態に係る照明灯用の電子式スイッチ器を電気コンセントに適用した場合の回路構成図である。
【符号の説明】
【００１８】
ＡＣＩｎ            交流常用電源の入力
Ｌａｍｐ            照明灯
ＳＷＩｎ（Ｏｕｔ）  スイッチ入力（出力）端子
ＳＷＯｕｔ（Ｉｎ）  スイッチ出力（入力）端子
１                  駆動電源回路ブロック
２                  交流入力位相検出回路ブロック
３                  トライアック駆動回路ブロック
４                  マイコン及びその周辺回路ブロック
Ｕ１                制御マイコン
ＴＲＣ              トライアック
Ｇ                  トライアックゲート端子
Ｉ１〜Ｉ４          マイコンの第１〜第４の入力端子
Ｏ１〜Ｏ２          マイコンの第１〜第２の出力端子
ＳＷ１              電源のオン／オフスイッチ
ＳＷ２              防犯スイッチ
ＬＥＤ              防犯状態表示用の発光ダイオード
ＣＤＳ              明るさセンサー
ＶＤＤ              直流電源の（＋）端子
ＶＳＳ              直流電源の接地端子。
【図１】
2005517266.tif 000003
【図２】
2005517266.tif 000004
【図３】
2005517266.tif 000005
【図４】
2005517266.tif 000006
【図５】
2005517266.tif 000007
【図６】
2005517266.tif 000008
【図７】
2005517266.tif 000009
【国際調査報告】
2005517266.tif 000010